(57)【要約】【課題】ディスク再生装置において、複数のプログラムの信号を記録可能なディスクに記録された信号を再生する際、ディスクに記録されたプログラムの内容を容易に確認でき、かつ、装置の製造コストの上昇を抑える。【解決手段】録画再生処理では、ハードディスク装置に録画されたプログラムを再生させる際には、まず、ナビゲーション画面が表示され（Ｓ１０１）、そこで再生指令操作がなされれば指定されたプログラムに対応するファイルが再生され（Ｓ１０５）、録画キーが操作されればハードディスク装置に録画されたすべてのプログラム（ファイル）が、３秒ずつ、順に、再生される（Ｓ１０７〜Ｓ１０９）。なお、３秒ずつ再生されている最中に再生キーが操作されると、当該再生中のプログラム（ファイル）が、通常通り、最初から最後まで再生される（Ｓ１１９）。【選択図】        図３
2004342193.tif 000002
【特許請求の範囲】
【請求項１】
複数のプログラムの信号を記録可能なディスクに記録された信号を再生するディスク再生装置であって、
ユーザからの指示の入力を受付ける入力手段と、
ディスクに記録された信号を、画像および／または音声の出力用信号に変換し、当該出力用信号を、画像を出力する装置および／または音声を出力する装置に送信する信号変換手段と、
前記画像を出力する装置に、ディスクに記録されたプログラムの一覧を示すナビゲーション画面を表示させ、かつ、前記信号変換手段に、前記画像を出力する装置に前記ナビゲーション画面を表示させているときに、前記入力手段に対して、前記ナビゲーション画面が表示されている際にディスクに記録された信号の再生に用いられる操作部分以外の操作部分を操作された場合には、前記ディスクに記録された各プログラムの所定時間分の信号を前記出力用信号に変換させ、当該出力用信号をディスク内で各プログラムを同定する情報を表示させるための信号と共に前記画像を出力する装置および／または音声を出力する装置に送信させる制御手段とを含み、
前記入力手段は、前記各プログラムの所定時間分の信号の変換について、変換の開始位置を指定する情報、および、プログラムごとに前記所定時間を指定する情報を受付け、
前記制御手段は、前記指定された変換の開始位置から、前記信号変換手段に、前記ディスクに記録された各プログラムの前記指定された所定時間分の信号を前記出力用信号に変換させる、ディスク再生装置。
【請求項２】
複数のプログラムの信号を記録可能なディスクに記録された信号を再生するディスク再生装置であって、
ユーザからの指示の入力を受付ける入力手段と、
ディスクに記録された信号を、画像および／または音声の出力用信号に変換し、当該出力用信号を、画像を出力する装置および／または音声を出力する装置に送信する信号変換手段と、
前記画像を出力する装置に、ディスクに記録されたプログラムの一覧を示すナビゲーション画面を表示させる制御手段とを含み、
前記制御手段は、前記画像を出力する装置に前記ナビゲーション画面を表示させているときに前記入力手段に対して所定の入力がなされた場合には、前記信号変換手段に、前記ディスクに記録された各プログラムの所定時間分の信号を前記出力用信号に変換させ、前記画像を出力する装置および／または音声を出力する装置に当該出力用信号を送信させる、ディスク再生装置。
【請求項３】
前記制御手段は、前記信号変換手段に、前記出力用信号を、ディスク内で各プログラムを同定する情報を表示させるための信号と共に、前記画像を出力する装置および／または音声を出力する装置に当該出力用信号を送信させる、請求項２に記載のディスク再生装置。
【請求項４】
前記入力手段は、前記各プログラムの所定時間分の信号の変換について、変換の開始位置を指定する情報を受付け、
前記制御手段は、前記変換の開始位置から、前記信号変換手段に、前記ディスクに記録された各プログラムの所定時間分の信号を前記出力用信号に変換させる、請求項２または請求項３に記載のディスク再生装置。
【請求項５】
前記入力手段は、前記所定時間を指定する情報を受付け、
前記制御手段は、前記信号変換手段に、前記ディスクに記録された各プログラムの前記指定された所定時間分の信号を前記出力用信号に変換させる、請求項２〜請求項４のいずれかに記載のディスク再生装置。
【請求項６】
前記入力手段は、プログラムごとに前記所定時間を指定する情報を受付ける、請求項５に記載のディスク再生装置。
【請求項７】
前記所定の入力は、前記入力手段において、前記ナビゲーション画面が表示されている際にディスクに記録された信号の再生に用いられる操作部分以外の操作部分を操作されることによりなされるものである、請求項２〜請求項６のいずれかに記載のディスク再生装置。
【請求項８】
複数のプログラムの信号を記録可能なディスクに記録された信号を再生するためのディスク再生用プログラムであって、コンピュータに、
ディスクに記録されたプログラムの一覧を示すナビゲーション画面を表示させるステップと、
前記ナビゲーション画面が表示されているときに、所定の入力がなされた場合には、当該ディスクに記録された各プログラムの所定時間分の信号を再生させるステップとを実行させる、ディスク再生用プログラム。
【発明の詳細な説明】
【０００１】
【発明の属する技術分野】
本発明は、ディスク再生装置およびディスク再生用プログラムに関し、特に、複数のプログラムの信号を記録可能なディスクに記録された信号を再生するための、ディスク再生装置およびディスク再生用プログラムに関する。
【０００２】
【従来の技術】
従来から、ディスク等の記録媒体に記録された信号を再生する装置において、信号の再生に際し、ユーザに対して利便性を向上させるような表示を行なう技術が種々開示されてきた。
【０００３】
たとえば、特許文献１，特許文献２には、さらに録画機能を有する番組信号記録再生装置において、キャッシュ再生時に、時刻を目盛としたバー上に、現在時刻に対応する録画位置マークと、再生を行なっている番組の記録時刻に対応する再生位置マークとを表示させる技術が開示されている。
【０００４】
また、特許文献３，特許文献４には、記録媒体に、複数のプログラムが録画される場合、または、複数回に録画動作がなされる場合に、プログラムごとに、または、録画動作ごとに、検索用に、録画する映像信号を１フィールドまたは１フレーム分だけメモリに記録させる技術が開示されている。
【０００５】
【特許文献１】
特開２００２−１００１６２公報
【０００６】
【特許文献２】
特開２００２−１０１３７４公報
【０００７】
【特許文献３】
実開平０１−７５３８４号公報
【０００８】
【特許文献４】
実開平０１−７５３８５号公報
【０００９】
【発明が解決しようとする課題】
しかしながら、特許文献３，特許文献４に開示された技術は、検索用のデータを記録するメモリが必要とされるという点で、再生装置の製造コストを上昇させるという問題があった。
【００１０】
本発明は、かかる実情に鑑み考え出されたものであり、その目的は、複数のプログラムの信号を記録されたディスクに記録された信号を再生する際、ディスクに記録されたプログラムの内容を容易に確認でき、かつ、装置の製造コストの上昇を抑えられた、ディスク再生装置およびディスク再生用プログラムを提供することである。
【００１１】
【課題を解決するための手段】
本発明のある局面に従ったディスク再生装置は、複数のプログラムの信号を記録可能なディスクに記録された信号を再生するディスク再生装置であって、ユーザからの指示の入力を受付ける入力手段と、ディスクに記録された信号を、画像および／または音声の出力用信号に変換し、当該出力用信号を、画像を出力する装置および／または音声を出力する装置に送信する信号変換手段と、前記画像を出力する装置に、ディスクに記録されたプログラムの一覧を示すナビゲーション画面を表示させ、かつ、前記信号変換手段に、前記画像を出力する装置に前記ナビゲーション画面を表示させているときに、前記入力手段に対して、前記ナビゲーション画面が表示されている際にディスクに記録された信号の再生に用いられる操作部分以外の操作部分を操作された場合には、前記ディスクに記録された各プログラムの所定時間分の信号を前記出力用信号に変換させ、当該出力用信号をディスク内で各プログラムを同定する情報を表示させるための信号と共に前記画像を出力する装置および／または音声を出力する装置に送信させる制御手段とを含み、前記入力手段は、前記各プログラムの所定時間分の信号の変換について、変換の開始位置を指定する情報、および、プログラムごとに前記所定時間を指定する情報を受付け、前記制御手段は、前記指定された変換の開始位置から、前記信号変換手段に、前記ディスクに記録された各プログラムの前記指定された所定時間分の信号を前記出力用信号に変換させることを特徴とする。
【００１２】
本発明の他の局面に従ったディスク再生装置は、複数のプログラムの信号を記録可能なディスクに記録された信号を再生するディスク再生装置であって、ユーザからの指示の入力を受付ける入力手段と、ディスクに記録された信号を、画像および／または音声の出力用信号に変換し、当該出力用信号を、画像を出力する装置および／または音声を出力する装置に送信する信号変換手段と、前記画像を出力する装置に、ディスクに記録されたプログラムの一覧を示すナビゲーション画面を表示させる制御手段とを含み、前記制御手段は、前記画像を出力する装置に前記ナビゲーション画面を表示させているときに前記入力手段に対して所定の入力がなされた場合には、前記信号変換手段に、前記ディスクに記録された各プログラムの所定時間分の信号を前記出力用信号に変換させ、前記画像を出力する装置および／または音声を出力する装置に当該出力用信号を送信させることを特徴とする。
【００１３】
また、本発明の他の局面に従ったディスク再生装置では、前記制御手段は、前記信号変換手段に、前記出力用信号を、ディスク内で各プログラムを同定する情報を表示させるための信号と共に、前記画像を出力する装置および／または音声を出力する装置に当該出力用信号を送信させることが好ましい。
【００１４】
また、本発明の他の局面に従ったディスク再生装置では、前記入力手段は、前記各プログラムの所定時間分の信号の変換について、変換の開始位置を指定する情報を受付け、前記制御手段は、前記変換の開始位置から、前記信号変換手段に、前記ディスクに記録された各プログラムの所定時間分の信号を前記出力用信号に変換させることが好ましい。
【００１５】
また、本発明の他の局面に従ったディスク再生装置では、前記入力手段は、前記所定時間を指定する情報を受付け、前記制御手段は、前記信号変換手段に、前記ディスクに記録された各プログラムの前記指定された所定時間分の信号を前記出力用信号に変換させることが好ましい。
【００１６】
また、本発明の他の局面に従ったディスク再生装置では、前記入力手段は、プログラムごとに前記所定時間を指定する情報を受付けることが好ましい。
【００１７】
また、本発明の他の局面に従ったディスク再生装置では、前記所定の入力は、前記入力手段において、前記ナビゲーション画面が表示されている際にディスクに記録された信号の再生に用いられる操作部分以外の操作部分を操作されることによりなされるものであることが好ましい。
【００１８】
本発明のある局面に従ったディスク再生用プログラムは、複数のプログラムの信号を記録可能なディスクに記録された信号を再生するためのディスク再生用プログラムであって、コンピュータに、ディスクに記録されたプログラムの一覧を示すナビゲーション画面を表示させるステップと、前記ナビゲーション画面が表示されているときに、所定の入力がなされた場合には、当該ディスクに記録された各プログラムの所定時間分の信号を再生させるステップとを実行させることを特徴とする。
【００１９】
【発明の実施の形態】
以下に、本発明の実施の形態を、図面を参照しつつ詳細に説明する。
【００２０】
［第１の実施の形態］
図１は、本発明のディスク再生装置の第１の実施の形態である情報記録再生装置１００の構成を示す図である。
【００２１】
図１において、チューナ１１は、システム制御回路１０からディジタル放送のチャンネル指定信号が供給された場合には、この指定されたチャンネルのディジタル放送波を受信する。この際、チューナ１１は、受信したディジタル放送波を復調することによりＭＰＥＧ（Ｍｏｖｉｎｇ  Ｐｉｃｔｕｒｅ  Ｅｘｐｅｒｔｓ  Ｇｒｏｕｐ）信号を得て、これをＭＰＥＧ信号Ｍ１としてハードディスク装置１２およびセレクタ１３の各々に供給する。また、チューナ１１は、システム制御回路１０からアナログテレビジョン放送（ＮＴＳＣ（Ｎａｔｉｏｎａｌ  Ｔｅｌｅｖｉｓｉｏｎ  Ｓｔａｎｄａｒｄｓ  Ｃｏｍｍｉｔｔｅｅ）方式、ＰＡＬ（Ｐｈａｓｅ  Ａｌｔｅｒｎａｔｉｏｎ  ｂｙ  Ｌｉｎｅ）方式、またはＳＥＣＡＭ（ＳＥｑｕｅｎｔｉａｌ  Ｃｏｕｌｅｕｒ  Ａ  Ｍｅｍｏｉｒｅ）方式）のチャンネル指定信号が供給された場合には、この指定されたチャンネルのアナログテレビジョン放送波を受信する。この際、チューナ１１は、受信したアナログテレビジョン放送波を復調して得たテレビジョン信号をＭＰＥＧエンコーダ１４に供給する。ＭＰＥＧエンコーダ１４は、かかるテレビジョン信号に対してＭＰＥＧ符号化処理を施して得た信号をＭＰＥＧ信号Ｍ２としてハードディスク装置１２に供給する。
【００２２】
セレクタ１３は、上記ハードディスク装置１２から供給された再生ＭＰＥＧ信号ＲＭ、およびチューナ１１から供給されたＭＰＥＧ信号Ｍ１の中から、システム制御回路１０から供給された選択信号に応じた方を択一的に選択し、これをＭＰＥＧデコーダ１７に供給する。ＭＰＥＧデコーダ１７は、セレクタ１３から供給されたＭＰＥＧ信号に対してＭＰＥＧ復号処理を施すことにより、映像信号を得てこれを映像信号ＤＡＶとしてセレクタ１８に供給する。
【００２３】
ＯＳＤ（Ｏｎ  Ｓｃｒｅｅｎ  Ｄｉｓｐｌａｙ）画像生成回路１９は、システム制御回路１０から供給された各種メッセージ表示指令に応じた画像を表示させるべきメッセージ画像信号ＤＣ  を生成し、これをセレクタ１８に供給する。セレクタ１８は、上記映像信号ＤＡＶおよびメッセージ画像信号ＤＣ  の中から、システム制御回路１０から供給された選択信号に応じた方を択一的に選択し、これをディスプレイ装置２００に供給する。
【００２４】
ディスプレイ装置２００は、情報記録再生装置１００から供給された上記映像信号ＤＡＶ、またはメッセージ画像信号ＤＣ  に基づく画像表示を行なう。
【００２５】
操作装置２２は、ユーザからの、放送チャンネル指定操作、録画済み番組指定操作、録画指令操作、再生指令操作、録画停止操作、および、再生停止操作等を受付け、その操作に応じた各種操作信号をシステム制御回路１０に供給する。尚、操作装置２２は、情報記録再生装置１００の筐体とは分離しているリモートコントローラであっても良い。
【００２６】
操作装置２２を用いたユーザによる各種操作に応じて、システム制御回路１０は、情報記録再生装置１００に、テレビモニタ、録画、タイムシフト再生を実施させることができる。
【００２７】
テレビモニタは、動作放送中の番組をリアルタイムで視聴するための動作である。この場合、ユーザは、上記操作装置２２を用いて所望の放送チャンネルを指定すべき放送チャンネル指定操作を行なう。かかる操作に応じて、システム制御回路１０は、この所望放送チャンネルの番組を受信させるべきチャンネル指定信号をチューナ１１に供給する。これと同時に、システム制御回路１０は、上記チューナ１１から出力されたＭＰＥＧ信号Ｍ１を択一的にＭＰＥＧデコーダ１７に導出すべき選択信号をセレクタ１３に供給する。さらに、システム制御回路１０は、ＭＰＥＧデコーダ１７から出力された音声信号ＤＡＶを択一的にディスプレイ装置２００に導出すべき選択信号をセレクタ１８に供給する。
【００２８】
このような制御がなされることにより、チューナ１１によって受信および復調して得られたＭＰＥＧ信号Ｍ１は、セレクタ１３を介してＭＰＥＧデコーダ１７に供給される。そして、ＭＰＥＧデコーダ１７にて復号された音声信号ＤＡＶが、セレクタ１８を介してディスプレイ装置２００に供給されることになる。これにより、ディスプレイ装置２００は、チューナ１１にて受信された所望チャンネルのディジタル放送番組をリアルタイムで画像表示することになる。
【００２９】
録画動作は、上述したようにチューナ１１にて受信された番組を録画するための動作である。この場合、ユーザは、上記操作装置２２を用いて録画指令操作を行なう。このような録画指令操作に応じて、システム制御回路１０は、記録指令信号をハードディスク装置１２に供給すると共に、ライトポジションカウンタ（図示略）の現在のカウント値を取込み、これをライトポジションＷＰとしてハードディスク装置１２に供給する。さらに、システム制御回路１０は、チューナ１１にて受信して得られた上記ＭＰＥＧ信号Ｍ１またはＭ２のビットレートに応じた記録速度信号ＳＷ  を求め、これを内蔵レジスタ（図示略）に記憶させると共に、ライトポジションカウンタに供給する。これにより、ハードディスク装置１２は、ピックアップ装置１２１を備え、上記ＭＰＥＧ信号Ｍ１またはＭ２を上記ライトポジションＷＰにて示されるタイムシフト領域１２０Ａ内の位置から上記記録速度信号ＳＷ  に応じた速度で、ピックアップ装置１２１を用いて、順次記録していく。
【００３０】
タイムシフト再生動作とは、上記したような録画動作と同時に、録画済みの番組の再生を行なう、いわゆるタイムシフト再生を実施するための動作である。この場合、ユーザは、上記操作装置２２を用いて再生指令操作および録画済み番組指定操作を行なう。
【００３１】
図２に、操作装置２２の平面図を示す。上記した操作装置２２を用いての各操作を、操作装置２２に備えられたキーを用いて説明する。
【００３２】
放送チャンネル指定操作は、０〜９の各数字に対応して設けられたテンキー２２９を用いて行なわれる。
【００３３】
録画済み番組指定操作は、ハードディスク装置１２に記録されている番組の一覧を表示する画面（後述するナビゲーション画面）に対してテンキー２２９を用いて番組を特定し、決定キー２２２が操作されることにより当該特定された番組が指定されることによって、行なわれる。
【００３４】
録画指令操作は、録画キー２２３が操作されることにより行なわれる。
再生指令操作は、再生キー２２４が操作されることにより行なわれる。
【００３５】
録画停止操作、および、再生停止操作は、録画動作中または再生動作中に停止キー２２５が操作されることにより行なわれる。
【００３６】
また、電源キー２２１が操作されることにより、情報記録再生装置１００への電源の投入のＯＮ−ＯＦＦが切替えられる。早送りキー２２８が操作されることにより、録画された画像の再生位置が早送りされ、巻き戻しキー２２７が操作されることにより、録画された画像の再生位置が巻き戻しされる。一時停止キー２２６が操作されることにより、再生中の録画画像の再生動作が一時停止され、また、一時停止中の再生動作が再開される。
【００３７】
情報記録再生装置１００では、ハードディスク装置１２に録画された画像を再生する際に、録画キー２２３が操作されると、ハードディスク装置１２に録画されたすべてのプログラムに対応するファイルが、一定時間ずつ、再生される。このような再生が行なわれる際にシステム制御回路１０が実行する処理について、以下に説明する。
【００３８】
図３は、ハードディスク装置１２に録画された画像を再生する際にシステム制御回路１０が実行する録画再生処理のフローチャートである。
【００３９】
録画再生処理では、システム制御回路１０は、まず、Ｓ１０１で、ナビゲーション画面（ナビ画面）をディスプレイ装置２００に表示させる。ナビゲーション画面の一例を、図４に示す。ハードディスク装置１２に録画された各プログラム（番組）は、それぞれ、１つのファイルとしてハードディスク装置１２に格納されている。そして、ナビゲーション画面２０１には、各ファイルの名称（ファイル名）が表示されている。
【００４０】
次に、システム制御回路１０は、Ｓ１０３で、操作装置２２に対して何らかの操作があったか否かを判断する。そして、上記した録画済み番組指定操作がなされたと判断すると処理をＳ１０５に進め、録画キー２２３が操作されたと判断すると処理をＳ１０７に進め、それ以外の場合には、待機する。
【００４１】
Ｓ１０５では、システム制御回路１０は、指定された番組（プログラム）に対応するファイルを再生し、処理をＳ１０１に戻す。
【００４２】
Ｓ１０７では、システム制御回路１０は、当該システム制御回路１０に備えられた、ファイルの一定時間ずつの再生に用いられるカウンタのカウント値Ｎを１にして、Ｓ１０９に処理を進める。
【００４３】
Ｓ１０９では、システム制御回路１０は、ハードディスク装置１２にＮ番目に格納されたファイルの再生を開始し、Ｓ１１１に処理を進める。
【００４４】
Ｓ１１１では、システム制御回路１０は、操作装置２２に対して、上記した再生キー２２４が操作されたか否かを判断し、当該操作されたと判断するとＳ１１９へ、操作されていないと判断するとＳ１１３へ、それぞれ処理を進める。
【００４５】
Ｓ１１９では、システム制御回路１０は、Ｎ番目のファイルを、ファイルの最初から再生し、再生が終了した後、Ｓ１０１に処理を戻す。
【００４６】
Ｓ１１３では、システム制御回路１０は、Ｓ１０９でＮ番目のファイルの再生を開始してから３秒が経過したか否かを判断し、経過したと判断するとＳ１１５へ処理を進め、まだ経過していないと判断するとＳ１１１に処理を戻す。
【００４７】
Ｓ１１５では、システム制御回路１０は、Ｎ番目のファイルが、ハードディスク装置１２に格納された最後のファイルであるか否かを判断し、最後のファイルではないと判断すると、Ｓ１１７でカウント値Ｎを１だけカウントアップして、処理をＳ１０９に戻す。一方、Ｎ番目のファイルが最後のファイルであると判断すると、ファイルの再生を停止させて、Ｓ１０１に処理を戻す。
【００４８】
以上説明した録画再生処理によると、ハードディスク装置１２に録画されたプログラムを再生させる際には、まず、図４に示したようなナビゲーション画面が表示され、そこで再生指令操作がなされれば、当該再生指令操作に従って、指定されたプログラムに対応するファイルの再生がなされる。また、ナビゲーション画面が表示されたときに、録画キー２２３が操作されると、ハードディスク装置１２に録画されたすべてのプログラム（ファイル）が、３秒ずつ、順に、再生される。そして、３秒ずつ再生されている最中に再生キー２２４が操作されると、当該再生中のプログラム（ファイル）が、通常通り、最初から最後まで再生される。
【００４９】
以上説明した録画再生処理では、３秒ずつの再生は録画キー２２３を操作されることにより開始されるが、この際に操作されるのは録画キー２２３に限定されず、再生指令操作に使用されないキーであればどれでも良い。
【００５０】
また、録画再生処理において、各プログラム（ファイル）は３秒ずつ再生されたが、再生される時間は、ユーザが設定できるように情報記録再生装置が構成されても良い。
【００５１】
［第２の実施の形態］
本実施の形態のディスク再生装置は、当該ディスク再生装置から着脱可能な記録媒体について録画および再生を行なう装置である。図５は、このようなディスク再生装置の一例であるＤＶＤ（Ｄｉｇｉｔａｌ  Ｖｅｒｓａｔｉｌｅ  Ｄｉｓｋ）レコーダの構成を示す図である。
【００５２】
図５に示したＤＶＤレコーダ３００は、図１に示した情報記録再生装置１００の中のハードディスク装置１２をＤＶＤ記録再生装置３０に置換したものである。ＤＶＤ記録再生装置３０は、外部から挿入されるＤＶＤ３１に対して、情報の読取りおよび書込みをすることができる。本実施の形態の録画再生処理は、ＤＶＤ３１に記録された画像自体をＤＶＤレコーダ３００側に記録することなく、当該ＤＶＤ３１に記録された各ファイルの画像を一定時間ずつ再生させることができるため、当該ＤＶＤ３１に記録された画像に著作権が設定されている場合でも、当該著作権を侵害することを確実に回避できる。
【００５３】
［第３の実施の形態］
図６に、本実施の形態のディスク再生装置である情報記録再生装置４００の構成を示す。情報記録再生装置４００は、第１の実施の形態の情報記録再生装置１００のシステム制御回路１０に、ユーザが入力した情報を記憶するメモリ１０Ａが追加されたものである。
【００５４】
情報記録再生装置４００は、第１の実施の形態で説明されたような録画再生処理において、ナビゲーション画面の表示時に録画キー２２３が操作されてハードディスク装置１２に録画されたすべてのプログラムが３秒ずつ再生される際、各プログラムについての再生開始位置が、予めユーザによって入力されメモリ１０Ａに記憶されたものとされる。各プログラムの再生開始位置のメモリ１０Ａにおける記憶態様の一例を、表１に示す。
【００５５】
【表１】
2004342193.tif 000003
【００５６】
メモリ１０Ａには、表１に示されたように、各プログラム（ファイル）のハードディスク装置１２において記憶される順番（ファイル番号）に関連付けらて、当該プログラムの再生開始位置が記憶されている。なお、表１では、各プログラムの再生開始位置が当該プログラムの再生開始位置からの時間で記録されているが、これに限定されず、再生開始位置からのメモリの容量等、他の形式で記録されていても構わない。
【００５７】
次に、情報記録再生装置４００のシステム制御回路１０が実行する録画再生処理のフローチャートである図７を参照して、当該処理について説明する。
【００５８】
録画再生処理では、システム制御回路１０は、まず、Ｓ２０１で、ナビゲーション画面（ナビ画面）をディスプレイ装置２００に表示させ、そして、Ｓ２０３で、操作装置２２に対して何らかの操作があったか否かを判断し、上記した録画済み番組指定操作がなされたと判断すると処理をＳ２０５に進め、録画キー２２３が操作されたと判断すると処理をＳ２０７に進め、それ以外の場合には、待機する。
【００５９】
Ｓ２０５では、システム制御回路１０は、指定された番組に対応するファイルを再生し、処理をＳ２０１に戻す。
【００６０】
Ｓ２０７では、システム制御回路１０は、当該システム制御回路１０に備えられた、ファイルの一定時間ずつの再生に用いられるカウンタのカウント値Ｎを１にして、Ｓ２０８に処理を進める。
【００６１】
Ｓ２０８では、システム制御回路１０は、メモリ１０Ａに記憶された表１を参照することにより、ハードディスク装置１２にＮ番目に格納されたファイルの再生開始位置をチェックし、Ｓ２０９に処理を進める。
【００６２】
Ｓ２０９では、システム制御回路１０は、ハードディスク装置１２にＮ番目に格納されたファイルの再生を、直前のＳ２０８でチェックした再生開始位置から開始し、Ｓ２１１に処理を進める。
【００６３】
Ｓ２１１では、システム制御回路１０は、操作装置２２の再生キー２２４が操作されたか否かを判断し、当該操作されたと判断するとＳ２１９へ、操作されていないと判断するとＳ２１３へ、それぞれ処理を進める。
【００６４】
Ｓ２１９では、システム制御回路１０は、Ｎ番目のファイルを、ファイルの最初から再生し、再生が終了した後、Ｓ２０１に処理を戻す。
【００６５】
Ｓ２１３では、システム制御回路１０は、Ｓ２０９でＮ番目のファイルの再生を開始してから３秒が経過したか否かを判断し、経過したと判断するとＳ２１５へ処理を進め、まだ経過していないと判断するとＳ２１１に処理を戻す。
【００６６】
Ｓ２１５では、システム制御回路１０は、Ｎ番目のファイルが、ハードディスク装置１２に格納された最後のファイルであるか否かを判断し、最後のファイルではないと判断すると、Ｓ２１７でカウント値Ｎを１だけカウントアップして、処理をＳ２０８に戻す。一方、Ｎ番目のファイルが最後のファイルであると判断すると、ファイルの再生を停止させて、Ｓ２０１に処理を戻す。
【００６７】
以上説明した録画再生処理によると、ナビゲーション画面の表示時に録画キー２２３が操作されてハードディスク装置１２に録画されたすべてのプログラムが３秒ずつ再生される際、各プログラムについての再生開始位置が、予めユーザによって入力されメモリ１０Ａに記憶されたものとされる。
【００６８】
［第４の実施の形態］
図８に、本実施の形態のディスク再生装置である情報記録再生装置５００の構成を示す。情報記録再生装置５００は、第１の実施の形態の情報記録再生装置１００のシステム制御回路１０に、ユーザが入力した情報を記憶するメモリ１０Ｂが追加されたものである。
【００６９】
情報記録再生装置５００は、第１の実施の形態で説明されたような録画再生処理において、ナビゲーション画面の表示時に録画キー２２３が操作されてハードディスク装置１２に録画されたすべてのプログラムが再生される際、各プログラムについての再生開始位置および再生終了位置が、予めユーザによって入力されメモリ１０Ｂに記憶されたものとされる。各プログラムの再生開始位置のメモリ１０Ｂにおける記憶態様の一例を、表２に示す。
【００７０】
【表２】
2004342193.tif 000004
【００７１】
メモリ１０Ｂには、表２に示されたように、各プログラム（ファイル）のハードディスク装置１２において記憶される順番（ファイル番号）に関連付けらて、当該プログラムの再生開始位置および再生終了位置が記憶されている。なお、表２では、各プログラムの再生開始位置および再生終了位置が当該プログラムの再生開始位置からの時間で記録されているが、これに限定されず、再生開始位置からのメモリの容量等、他の形式で記録されていても構わない。
【００７２】
次に、情報記録再生装置５００のシステム制御回路１０が実行する録画再生処理のフローチャートである図９を参照して、当該処理について説明する。
【００７３】
録画再生処理では、システム制御回路１０は、まず、Ｓ３０１で、ナビゲーション画面（ナビ画面）をディスプレイ装置２００に表示させ、そして、Ｓ３０３で、操作装置２２に対して何らかの操作があったか否かを判断し、上記した録画済み番組指定操作がなされたと判断すると処理をＳ３０５に進め、録画キー２２３が操作されたと判断すると処理をＳ３０７に進め、それ以外の場合には、待機する。
【００７４】
Ｓ３０５では、システム制御回路１０は、指定された番組に対応するファイルを再生し、処理をＳ３０１に戻す。
【００７５】
Ｓ３０７では、システム制御回路１０は、当該システム制御回路１０に備えられた、ファイルの一定時間ずつの再生に用いられるカウンタのカウント値Ｎを１にして、Ｓ３０８に処理を進める。
【００７６】
Ｓ３０８では、システム制御回路１０は、メモリ１０Ｂに記憶された表２を参照することにより、ハードディスク装置１２にＮ番目に格納されたファイルの再生開始位置および再生終了位置をチェックし、Ｓ３０９に処理を進める。
【００７７】
Ｓ３０９では、システム制御回路１０は、ハードディスク装置１２にＮ番目に格納されたファイルの再生を、直前のＳ３０８でチェックした再生開始位置から開始し、Ｓ３１１に処理を進める。
【００７８】
Ｓ３１１では、システム制御回路１０は、操作装置２２の再生キー２２４が操作されたか否かを判断し、当該操作されたと判断するとＳ３１９へ、操作されていないと判断するとＳ３１３へ、それぞれ処理を進める。
【００７９】
Ｓ３１９では、システム制御回路１０は、Ｎ番目のファイルを、ファイルの最初から再生し、再生が終了した後、Ｓ３０１に処理を戻す。
【００８０】
Ｓ３１３では、システム制御回路１０は、Ｓ３０９でＮ番目のファイルがＳ３０８でチェックした再生終了位置まで再生されたか否かを判断し、再生されたと判断するとＳ３１５へ処理を進め、まだ再生されていないと判断するとＳ３１１に処理を戻す。
【００８１】
Ｓ３１５では、システム制御回路１０は、Ｎ番目のファイルが、ハードディスク装置１２に格納された最後のファイルであるか否かを判断し、最後のファイルではないと判断すると、Ｓ３１７でカウント値Ｎを１だけカウントアップして、処理をＳ３０８に戻す。一方、Ｎ番目のファイルが最後のファイルであると判断すると、ファイルの再生を停止させて、Ｓ３０１に処理を戻す。
【００８２】
以上説明した録画再生処理によると、ナビゲーション画面の表示時に録画キー２２３が操作されてハードディスク装置１２に録画されたすべてのプログラムが再生される際、各プログラムが、予めユーザによって入力されメモリ１０Ｂに記憶された再生開始位置から再生終了位置まで、再生される。
【００８３】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００８４】
【発明の効果】
本発明によると、ナビゲーション画面が表示されているとき、ユーザは、入力手段に対して所定の入力を行なえば、各プログラムについて、個々に、再生させるための操作を行なわなくとも、ディスク内のすべてのプログラムについて、所定時間ずつ、内容を確認できる。また、このような処理は、ディスク再生装置において各プログラムの所定時間ずつの信号を記録させる特別なメモリを設置することなく、実行される。これにより、複数のプログラムの信号を記録されたディスクに記録された信号を再生する際、ディスクに記録されたプログラムの内容を容易に確認でき、かつ、装置の製造コストの上昇を抑えられた、ディスク再生装置を提供することができる。
【００８５】
特に、従来、ＤＶＤ等のディスクに記録されたプログラムの内容を確認するには、まず、当該ディスクに記録されたプログラムの一覧を示すナビゲーション画面を表示させ、当該ナビゲーション画面から１つずつプログラムを選択して再生させる必要があり煩雑であるという問題があり、このような問題について、特許文献３，特許文献４に開示された技術は、録画可能な記録媒体に対しては、そこに記録されたプログラムの検索のために適用可能であるが、再生専用の記録媒体に対しては、適用することができなかった。しかしながら、本発明では、再生専用の記録媒体に対しても、ナビゲーション画面から１つずつプログラムを選択して再生させるという煩雑な動作を行なうことなく、容易に、ディスクに記録されたプログラムの内容を確認することができる。
【００８６】
また、本発明によると、ユーザは、各プログラムの内容を、ディスク内で各プログラムを同定する情報と共に、確認できる。
【００８７】
また、本発明によると、ユーザは、各プログラムを確認する際、各プログラムについて、再生される時間および／または再生される位置を指定できる。
【００８８】
また、本発明によると、上記のような各プログラムの内容の確認するために操作する入力手段での操作部分は、ナビゲーション画面が表示されている際にディスクに記録された信号をプログラムを指定して再生させるような通常の再生に用いられる操作部分以外の操作部分と兼用できるため、入力手段に必要とされる操作部分を極力少なくすることができる。
【図面の簡単な説明】
【図１】本発明のディスク再生装置の第１の実施の形態である情報記録再生装置の構成を示す図である。
【図２】図１の情報記録再生装置の操作装置の平面図である。
【図３】図１の情報記録再生装置のシステム制御回路が実行する録画再生処理のフローチャートである。
【図４】図１の情報記録再生装置がディスプレイ装置に表示させるナビゲーション画面の一例を示す図である。
【図５】本発明のディスク再生装置の第２の実施の形態であるＤＶＤレコーダの構成を示す図である。
【図６】本発明のディスク再生装置の第３の実施の形態である情報記録再生装置の構成を示す図である。
【図７】図６の情報記録再生装置のシステム制御回路が実行する録画再生処理のフローチャートである。
【図８】本発明のディスク再生装置の第４の実施の形態である情報記録再生装置の構成を示す図である。
【図９】図８の情報記録再生装置のシステム制御回路が実行する録画再生処理のフローチャートである。
【符号の説明】
１０  システム制御回路、１１  チューナ、１２  ハードディスク装置、１３，１８  セレクタ、１４  ＭＰＥＧエンコーダ、１７  ＭＰＥＧデコーダ、１９ＯＳＤ画像生成回路、３０  ＤＶＤ記録再生装置、３１  ＤＶＤ、１００，４００，５００  情報記録再生装置、１２０  ハードディスク、１２０Ａ  タイムシフト領域、１２０Ｂ  録画領域、２００  ディスプレイ装置、２２１  電源キー、２２２  決定キー、２２３  録画キー、２２４  再生キー、２２５  停止キー、２２９  テンキー。
【図１】
2004342193.tif 000005
【図２】
2004342193.tif 000006
【図３】
2004342193.tif 000007
【図４】
2004342193.tif 000008
【図５】
2004342193.tif 000009
【図６】
2004342193.tif 000010
【図７】
2004342193.tif 000011
【図８】
2004342193.tif 000012
【図９】
2004342193.tif 000013